(57)【要約】  実質的なユーザとのやりとりをしない、個人のデジタルライブラリからの情報又はユーザについての情報を用いたデジタルメディアの認証。その情報を用いて解決されるデジタルメディアの認証の曖昧性は、ユーザ個人のライブラリ内の多数のエントリ（特定の歌、作家、又はジャンルを含む。）、ユーザ個人のライブラリと共同ライブラリの言語資料との間の類似の関係、人口統計的な又はユーザについての特定の情報、既存の歌と同等のもの、解決する曖昧性の以前の結果、指定範囲内の携帯電話システムの位置、家の中の指定場所の位置、任意のペアレンタル・コントロールの存在、インポートされたデジタルの娯楽情報がコレクションの一部として大量にインポートされているかどうか、デジタルの娯楽情報について選択された類似性の基準により、インポートされたデジタルの娯楽情報が、ユーザ個人のライブラリの１以上の要素に「より近い」かどうか、を含む。
2010518511.tif 000002
【特許請求の範囲】
【請求項１】
実質的にユーザとのやりとりをせずに、
特定のユーザ個人のデジタルライブラリについての情報と、
ユーザの規定のコミュニティについて実行されるデジタルメディアの認証技法から収集される第２のライブラリについての情報と、
前記特定のユーザについての情報と、
のうち１以上の情報に応じて、デジタルメディアの認証技法を実行するステップ、
を含む方法。
【請求項２】
前記特定のユーザ個人のデジタルライブラリについての情報は、第２のライブラリに含まれる歌に関するメタデータの統計的尺度を含む、請求項１に記載の方法。
【請求項３】
前記メタデータは、前記デジタルの娯楽情報のために、アーチスト、年代、ジャンルのうちの１以上を含む、請求項２に記載の方法。
【請求項４】
前記特定のユーザ個人のデジタルライブラリについての情報は、前記ライブラリに含まれる歌に関するメタデータの統計的尺度を含む、請求項１に記載の方法。
【請求項５】
前記メタデータは、前記デジタルの娯楽情報のために、アーチスト、年代、ジャンルのうちの１以上を含む、請求項４に記載の方法。
【請求項６】
前記規定のコミュニティはシステムの製造業者に対応し、そのシステムを用いて前記方法が実行される、請求項１に記載の方法。
【請求項７】
前記第２のライブラリは、実質的に前記規定のコミュニティのみが一般に利用できる、請求項６に記載の方法。
【請求項８】
前記第２のライブラリは、システムからアップロードされたメタデータを含み、
前記方法は、そのシステムを用いて、実質的にユーザとのやりとりをせずに特定のユーザについて実行される、請求項１に記載の方法。
【請求項９】
前記第２のライブラリは、実質的に前記規定のコミュニティのみが一般に利用できる、請求項８に記載の方法。
【請求項１０】
特定のユーザ個人のデジタルライブラリ内の一組のコンテンツと、
特定のユーザ個人のデジタルライブラリ内のコンテンツに関連する一組のメタデータと、
ユーザの規定のコミュニティについて実行されるデジタルメディアの認証技法から収集される第２のライブラリ内の一組のコンテンツと、
ユーザの規定のコミュニティについて実行されるデジタルメディアの認証技法から収集される第２のライブラリ内のコンテンツンツに関連する一組のメタデータと、
のうちの１つ以上と、一組のインポートされた娯楽情報との間の１以上の類似性の基準に応じて、デジタルメディアの認証を実行するステップを含む、方法。
【請求項１１】
前記類似性の基準のうちの少なくとも１つと、
特定のユーザ個人のデジタルライブラリと、ユーザの規定のコミュニティについて実行されるデジタルメディアの認証技法から収集される１以上の第２のライブラリとの中からの１以上と、
に応じて、
規定組のクラスタに分離するステップと、を含む、請求項１０に記載の方法。
【請求項１２】
前記デジタルメディアの認証を実行するステップは、１以上の規定組のクラスタに対応し、１以上の規定組のクラスタを別個の個人のライブラリとして処理する効果を得る、請求項１１に記載の方法。
【請求項１３】
前記類似性の基準のうち少なくとも１つは、娯楽情報の要素間の差の程度に対応する、請求項１０に記載の方法。
【請求項１４】
前記類似性の基準のうちの少なくとも１つは、
特定のユーザ個人のデジタルライブラリと、
ユーザの規定のコミュニティについて実行されるデジタルメディアの認証技法から収集される１以上の第２のライブラリと、
のうちの１以上内の一組の規定のクラスタに対応する、請求項１０に記載の方法。
【請求項１５】
コンピュータ装置により解釈されうる命令を保持する物理媒体であって、
前記命令は、
実質的にユーザとのやりとりをせずに、
特定のユーザ個人のデジタルライブラリについての情報と、
ユーザの規定のコミュニティについて実行されるデジタルメディアの認証技法から収集される第２のライブラリについての情報と、
前記特定のユーザについての情報と、
のうち１以上の情報に応じて、デジタルメディアの認証を実行することを命令する、物理媒体。
【請求項１６】
前記特定のユーザ個人のデジタルライブラリについての情報は、第２のライブラリに含まれる歌に関するメタデータの統計的尺度を含む、請求項１５に記載の物理媒体。
【請求項１７】
前記メタデータは、前記デジタルの娯楽情報のために、アーチスト、年代、ジャンルのうちの１以上を含む、請求項１６に記載の物理媒体。
【請求項１８】
前記特定のユーザ個人のデジタルライブラリについての情報は、前記ライブラリに含まれる歌に関するメタデータの統計的尺度を含む、請求項１５に記載の物理媒体。
【請求項１９】
前記メタデータは、前記デジタルの娯楽情報のために、アーチスト、年代、ジャンルのうちの１以上を含む、請求項１８に記載の物理媒体。
【請求項２０】
前記第２のライブラリはシステムからアップロードされたメタデータを含み、
前記方法は、そのシステムを用いて、実質的にユーザとのやりとりをせずに特定のユーザについて実行される、請求項１５に記載の物理媒体。
【請求項２１】
前記第２のライブラリは、実質的に前記規定のコミュニティのみが一般に利用できる、請求項２０に記載の物理媒体。
【請求項２２】
前記規定のコミュニティはシステムの製造業者に対応し、そのシステムを用いて前記方法が実行される、請求項１５に記載の物理媒体。
【請求項２３】
前記第２のライブラリは、実質的に前記規定のコミュニティのみが一般に利用できる、請求項２２に記載の物理媒体。
【請求項２４】
コンピュータ装置により解釈されうる命令を保持する物理媒体であって、
前記命令は、
特定のユーザ個人のデジタルライブラリ内の一組のコンテンツと、
特定のユーザ個人のデジタルライブラリ内のコンテンツに関連する一組のメタデータと、
ユーザの規定のコミュニティについて実行されるデジタルメディアの認証技法から収集される第２のライブラリ内の一組のコンテンツと、
ユーザの規定のコミュニティについて実行されるデジタルメディアの認証技法から収集される第２のライブラリ内のコンテンツに関連する一組のメタデータと、
のうちの１以上と、一組のインポートされた娯楽情報との間の１以上の類似性の基準に応じて、デジタルメディアの認証を実行することを命令する、物理媒体。
【請求項２５】
前記類似性の基準のうちの少なくとも１つと、
特定のユーザ個人のデジタルライブラリと、ユーザの規定のコミュニティについて実行されるデジタルメディアの認証技法から収集される１以上の第２のライブラリとの中からの１以上と、
に応じて、
規定組のクラスタに分離するように解釈されうる命令を含む、請求項２４に記載の物理媒体。
【請求項２６】
前記デジタルメディアの認証を実行する命令は、１以上の規定組のクラスタに対応し、
１以上の規定組のクラスタを別個の個人のライブラリとして処理する効果を得る、請求項２５に記載の物理媒体。
【請求項２７】
前記類似性の基準のうち少なくとも１つは、娯楽情報の要素間の差の程度に対応する、請求項２４に記載の物理媒体。
【請求項２８】
前記類似性の基準のうちの少なくとも１つは、
特定のユーザ個人のデジタルライブラリと、
ユーザの規定のコミュニティについて実行されるデジタルメディアの認証技法から収集される１以上の第２のライブラリと、
のうちの１以上内の一組の規定のクラスタに対応する、請求項２４に記載の物理媒体。
【請求項２９】
実質的にユーザとのやりとりをせずに、
デジタルメディアの情報を受信する手段と、
特定のユーザ個人のデジタルライブラリについての情報と、ユーザの規定のコミュニティについて実行されるデジタルメディアの認証技法から収集される第２のライブラリについての情報と、前記特定のユーザについての情報と、のうちの１以上の情報に応じて、デジタルメディアの情報の認証を実行する手段と、
を有する装置。
【請求項３０】
前記特定のユーザ個人のデジタルライブラリについての情報は、第２のライブラリに含まれる歌に関するメタデータの統計的尺度を含む、請求項２９に記載の装置。
【請求項３１】
前記メタデータは、前記デジタルの娯楽情報のために、アーチスト、年代、ジャンルのうちの１以上を含む、請求項３０に記載の装置。
【請求項３２】
前記特定のユーザ個人のデジタルライブラリについての情報は、前記ライブラリに含まれる歌に関するメタデータの統計的尺度を含む、請求項２９に記載の装置。
【請求項３３】
前記メタデータは、前記デジタルの娯楽情報のために、アーチスト、年代、ジャンルのうちの１以上を含む、請求項３２に記載の装置。
【請求項３４】
前記規定のコミュニティはシステムの製造業者に対応し、そのシステムを用いて前記方法が実行される、請求項２９に記載の装置。
【請求項３５】
前記第２のライブラリは、実質的に前記規定のコミュニティのみが一般に利用できる、請求項３４に記載の装置。
【請求項３６】
前記第２のライブラリは、システムからアップロードされたメタデータを含み、
前記方法は、そのシステムを用いて、実質的にユーザとのやりとりをせずに特定のユーザについて実行される、請求項２９に記載の装置。
【請求項３７】
前記第２のライブラリは、実質的に前記規定のコミュニティのみが一般に利用できる、請求項３６に記載の装置。
【請求項３８】
デジタルメディア情報を受信する手段と、
特定のユーザ個人のデジタルライブラリ内の一組のコンテンツ、特定のユーザ個人のデジタルライブラリ内のコンテンツに関連する一組のメタデータ、ユーザの規定のコミュニティについて実行されるデジタルメディアの認証技法から収集される第２のライブラリ内の一組のコンテンツ、ユーザの規定のコミュニティについて実行されるデジタルメディアの認証技法から収集される第２のライブラリ内のコンテンツに関連する一組のメタデータ、のうちの１以上と、一組のインポートされた娯楽情報と、の間の１以上の類似性の基準に応じて、デジタルメディアの認証を実行する手段と、
を有する装置。
【請求項３９】
前記類似性の基準のうちの少なくとも１つと、
特定のユーザ個人のデジタルライブラリと、ユーザの規定のコミュニティについて実行されるデジタルメディアの認証技法から収集される１以上の第２のライブラリと、の中からの１以上と、
に応じて、
規定組のクラスタに分離する手段を有する、請求項３８に記載の装置。
【請求項４０】
前記認証を実行する手段は、１以上の規定組のクラスタに対応し、１以上の規定組のクラスタを別個の個人のライブラリとして処理する効果を得る、請求項３９に記載の装置。
【請求項４１】
前記類似性の基準のうちの少なくとも１つは、娯楽情報の要素間の差の程度に対応する、請求項３８に記載の装置。
【請求項４２】
前記類似性の基準のうちの少なくとも１つは、
特定のユーザ個人のデジタルライブラリと、
ユーザの規定のコミュニティについて実行されるデジタルメディアの認証技法から収集される１以上の第２のライブラリと、
のうちの１以上内の一組の規定のクラスタに対応する、請求項３８に記載の装置。
【発明の詳細な説明】
【背景技術】
【０００１】
ユーザは、時々、歌や映画などを含む娯楽情報を個人のデジタルライブラリ（家庭用娯楽システムや個人の娯楽機器で動作する。）にインポートする。インポートした後、ユーザは、シリアルナンバーや他のコンピュータによる識別よりもむしろ、作家や題名などによる自然な参照情報（natural references）を用いて、その娯楽情報を参照することを好む。娯楽情報を符号化するのに使用される最も一般的な符号化フォーマットと、符号化された娯楽情報を保持するのに使用される最も一般的な記録媒体は、自然な参照情報を含まないが、符号化された娯楽情報を保持するのに使用される媒体からのメディアデータに応じて、それらの参照を提供することが可能な市販及び無料の公共（public）サービスがある。関連付け（association）のプロセスは、時々、ＤＭＲ（Digital Media Recognition）と呼ばれる。
【０００２】
公知のシステムにおける１つの問題は、メディアデータを娯楽情報の自然な記述に関連付けることが難しいかもしれないということである。公共のサービスが公知のメディアデータのみを自然な参照情報に関連付けるのに対し、ユーザの機器はメディア自身にアクセスする。
【０００３】
いくつかのシステムでは、トラック（tracks）リストのような情報とそれらのタイミング情報（「コンテンツのテーブル」又は「ＴＯＣ」の認証と呼ばれることもある。）に応じて、又はデジタルの娯楽情報の音響特性のような情報（「音響指紋法」の認証と呼ばれることもある。）に応じて、メディアからの情報を自然な参照情報に一致させる試みがされている。これらのシステムは、しばしば、デジタルの娯楽情報に関連付けられた自然な参照情報の認証を実行するが、それらは常に成功するわけではなく、時々、ユーザとのやり取り（例えば、ユーザが所望の情報を入力する、又はユーザがプロンプトに応答して一組の可能性の中から１つを選択する。）を必要とする。
【発明の概要】
【発明が解決しようとする課題】
【０００４】
本発明は、実質的なユーザとのやりとりの前に、ユーザ個人のデジタルライブラリについての情報やユーザ個人のデジタルライブラリからの情報、又は他の人口統計的な（demographic）又はユーザについての特定の情報がデジタルメディアの認証に役立つような装置又は方法として具体化される技術を提供する。
【課題を解決するための手段】
【０００５】
好ましい実施態様において、デジタルメディアの認証は、公的に利用可能なメタデータに応答して実行される。（１）デジタルメディアの認証において、ユーザ個人のデジタルライブラリを参照することにより、できる限り支援される公的に利用可能なメタデータが、デジタルメディアの全ての可能性のある（possible）アイテム（items）の組みからより小さな組みへフィルタをかけるのに使用されうる。（２）デジタルメディアの認証において、少なくともいくつかの曖昧性又は不確実性が、ユーザ個人のデジタルライブラリ、又は他の人口統計的な又はユーザについての特定の情報を参照することにより、解決されうる。場合により、フィルタリングのいくつかのステップが一度以上実行されてもよく、曖昧性除去のいくつかのステップが一度以上実行されてもよく、又はそれらの両方が一度以上実行されてもよい（それらは交替で実行されなくてもよい。）。
【０００６】
例えば、使用者が、アカデミー・オブ・セントマーティン・インザフィールズ（the Academy of St. Martin in the Fields）又はボストンポップス管弦楽団（Boston Pops）により演奏されたと特定される可能性のある市販のＣＤをインポートし、且つ、ユーザ個人のライブラリが、後者のオーケストラによる多くの作業を含み、前者のオーケストラによる作業をほとんど含まない場合は、より適当なユーザの好みであるとシステムにより認識されるように、いずれの曖昧性も、後者のオーケストラに有利な（in favor of）システムにより解決される。
【０００７】
好ましい実施態様において、公的に利用可能なメタデータは、公的に利用可能なメタデータが明瞭な関連付けを行うのに不十分であるとみなされるときに使用される、さらなる具体的な情報（例えば、ユーザ個人のデジタルライブラリについての情報、又は他の人口統計的な又はユーザについての特定の情報）と共に、第１の組みの試みのために使用される。しかしながら、本発明の文脈において、この特別な順序（order）についての具体的な要件はない。ここに記載したように、全ての可能性のある情報が、特別な順序で、不規則に又は偽の不規則に、又は他の要因（例えば、符号化された娯楽情報自身の本質（nature））に対応した順序のいずれかで使用されてもよい。
【０００８】
好ましい実施態様において、ユーザ個人のデジタルライブラリについての情報、又は他の人口統計的な又はユーザについての特定の情報は、以下の２つの方法のうちの少なくとも１つにおいて使用される。
・全ての可能性のあるケースの全組（可能性の数が何百万に達するかもしれない。）から、可能性のあるケースの非常に小さい組（可能性の数が何百又は何十に達するかもしれない。）へ、符号化された娯楽情報に関連付けられているかもしれない可能性のある自然な参照情報の組みをフィルタリングする方法。
・フィルタリングにより見つかった関連付けの限られた組みをランク付けし、それらのランク付けに応じて最良の一致の組みを選択する方法。
【０００９】
本発明の本質（nature）は、一連のフィルタリング及びランク付けの繰り返しのステップを含むのに十分なほど適応性があり、順序付けられたペアにおいて必ずしも必要ではない。例えば、好ましい実施態様においては、以下の４つの可能性がある。適用（application）の特定の必須の順序は無く且つ実行されるステップの特定の必須の数も無い。
（１）フィルタリングに使用される、ユーザ個人のデジタルライブラリについての情報。
（２）フィルタリングに使用される、他の人口統計的な又はユーザについての特定の情報。
（３）ランク付けに使用される、ユーザ個人のデジタルライブラリについての情報。
（４）ランク付けに使用される、他の人口統計的な又はユーザについての特定の情報。
【００１０】
ユーザ個人のライブラリからの有用な情報は、含まれる特定の歌、含まれる好みの作家又はジャンル、又はユーザ個人のライブラリと共同（collective）ライブラリの言語資料（corpus）との間の類似の関係を含んでも良い。
【００１１】
好ましい実施態様において、応答するユーザについて作ることが妥当かもしれない結果と共に、人口統計的な又はユーザについての特定の情報が、ユーザ個人のライブラリ（例えば、「大部分がヘビーメタル」）の一般的記述に対応して得られる。例えば、ユーザが「セサミストリート」又はKelly Clarksonによるポピュラーソングとして識別される可能性のある市販のＣＤをインポートし、ユーザ個人のライブラリが、ユーザが小さな中西部の町の高校生である可能性が高いことを示す歌を含む場合、この曖昧性は、より適当なユーザの好みであるとシステムにより認識されるように、後者のジャンルの好みのシステムにより解決されるかもしれない。
【００１２】
同様に、システムは、以下の可能性の１以上を使用して曖昧性を解決してもよい。
【００１３】
・コンテンツのテーブル（ＴＯＣ）のメタデータがメディアデータから読み出されたＴＯＣ値と一致しているかどうか。好ましい実施態様では、メタデータが、音声、セッション間（inter-session）の間隔（gap）、データトラック、又はボーナストラックを含むＴＯＣを伝えるかもしれないけれども、システムは１組の音声トラックの数や長さ（又は両方）を考慮してもよい。
【００１４】
一例では、他のソース（この例では、ＡＭＧ）からの１組のメタデータは、ボックスセットについて２つのフィールド（「これがボックスセットである。」ことを示すブールフラグ、及びアルバムのディスクの数をカウントする数字のフィールド）を含む。これらのフィールドは、一貫性のない情報を含んでもよい。
【００１５】
一例では、ＴＯＣは、まさに一連のトラックの開始時間であり、トラックのカウントに対応する。他のソース（この例では、ＡＭＧ）からのメタデータは、トラックの数についての数字のフィールドを含んでも良い。これらは、（トラック自身として扱われる）セッション間の間隔を含むディスク上のボーナストラック又はデータトラックがある場合のように、一貫性がなくてもよい。
【００１６】
・インポートされたデジタルの娯楽内の任意の自然な参照情報の本質（nature）及び値。これらは、インポートされたデジタルの娯楽自身、インポートされたデジタルの娯楽の任意の特徴、任意の関連するインポートされたデジタルの娯楽の任意の特徴、又は任意の関連するメタデータの任意の特徴に、どの符号化又はどのメディアのフォーマットが適用されるかを含んでもよい。システムは、これらの要因の可能性のある相手（matches）との比較、閾の一致（match）の良好さ、クラスタリングの技術、又は比較の他の形式に対応してもよい。
【００１７】
・ユーザが意図的に複数のコピーを購入しないという理由に対応して、インポートされたデジタルの娯楽情報が、ユーザ個人のライブラリの既存の歌と不必要に同一であるかどうか。
【００１８】
・同一の解決が行われるという理由に対応して、システムが記録した曖昧性が前のケースにおいて解決に成功したかどうか。
【００１９】
・指定された範囲（region）がその範囲内の共通の層（common public）に従う好みを持つユーザを含むという理由に対応して、デジタルメディアの認証機器が１つの歌が他よりも好まれやすい範囲に位置付けられているかどうか。本発明の文脈において、「範囲（region）」は国や大陸と同じぐらい広くてもよく、特定の郵便番号や人口調査標準地域（census tract）と同じぐらい狭くてもいい。例えば、システムが、ケベック州の主としてフランス語を話す地域にインストールされる場合、ユーザの適当な本質についての理由に対応して、フランス語版が好まれるかもしれない。
【００２０】
・家の共用領域（例えば、ダイニングルーム）に好まれる選択は、より個人用の領域（例えば、ホームオフィス）に好まれる選択と、実質的に異なっているかもしれないという理由に対応して、提示した機器が家の中の指定された場所に位置付けられるかどうか。
【００２１】
・（少なくともペアレンタル・コントロールを使用することにより）好まれる選択がある指定した歌や他のメディアを含まないという理由に対応して、提示した機器が任意のペアレンタル・コントロールを受けているかどうか。
【００２２】
・インポートされた娯楽情報が、コレクションの一部として大量にインポートされているかどうか。本発明の文脈において、娯楽情報に関する分類を考慮するという概念は、多種多様の可能性を含む。以下にそのうちのいくつかの例を示す。
○一例では、インポートされた娯楽情報の特定のアイテムが、コレクションの一部として大量にインポートされた可能性のある自然な参照情報のクラスタ（cluster）に最も近いものとして決定されてもよい。
○一例では、コレクションの一部として大量にインポートされた、インポートされた娯楽情報の複数の特定のアイテムの一組が、互いに最も近いものとして決定されてもよい。
○一例では、コレクションの一部として大量にインポートされた、インポートされた娯楽情報の複数の特定のアイテムの一組が、最小の（又は曖昧さが最も少ない）組のクラスタに分類されるものとして決定されてもよい。
○一例では、全コレクションについての一致の良好状態の全体的なランク付けが決定されてもよい。これにより、曖昧性が、一致の良好状態についての最良の全体的なランク付けを持つ全バッチインポート（batch import）の支持により（in favor of）解決される。
○一例では、全コレクションについての一致の良好状態のランク付けが、同一の販売業者、同一の製造業者（例えば、Kaleidescape社）、又は他の特別のユーザのアフィニティー・グループ、又はユーザ自身により形成されるコミュニティから、システムのユーザのコミュニティを参照して決定されてもよい。これにより、曖昧性が、１以上のアフィニティー・グループ又はコミュニティ内の個人のライブラリの結合体との一致の良好状態の最良のランク付けを持つ全バッチインポートの支持により解決される。
【００２３】
・娯楽情報についての選択された類似性の基準（metric）により、インポートされた娯楽情報が、ユーザ個人のライブラリの１以上の要素に「より近い」かどうか。この特定の態様は、選択された類似性の基準に従ってユーザ個人のライブラリをクラスタリングし、別個の個人のライブラリとして、各クラスタを取り扱うことにまで及ぶことが可能である。例えば、「ブルーグラス」及び「カントリー・アンド・ウエスタン」に十分に密集する（clusters）個人のライブラリを持つユーザは、おそらく、主としてクジラの歌を含む娯楽情報への関心は少ない。
【００２４】
・インポートされた娯楽情報が、「ボックスセット」の一部としてインポートされているかどうか。多くのユーザ個人のライブラリは、ボックスセットの売り手により既に分配された多量の娯楽情報を含む。本発明の文脈において、ボックスセットの概念は、多種多様の可能性を含む。以下にそのいくつかの例のみを示す。
○一例では、ユーザ個人のライブラリが、既にボックスセットに他の要素を含んでおり、インポートされた娯楽情報の特定のアイテムが、ボックスセットの要素に最も近いもの（例えば、売り手が決定したコレクション）であるとして決定されてもよい。
○一例では、ユーザ個人のライブラリが、既にボックスセットに他の要素を含んでおり、インポートされた娯楽情報の特定のアイテムが、ボックスセットを完成させるものとして決定されてもよい。
○一例では、インポートされた娯楽情報の特定のアイテムは、既にユーザ個人のライブラリの一部である他のボックスセットに関連するボックスセットに含まれるものとして決定されてもよい。一例では、ユーザ個人のライブラリが「ザ・ソプラノズ（The Sopranos）」の第１及び第３のシーズンを含んでいる場合に、インポートされた娯楽情報のアイテムをテレビ番組の第２のシーズンの一部である自然な参照情報に関連付けることが、しばしば考慮されてもよい。
○一例では、インポートされた娯楽情報の特定のアイテムは、そのアイテムが、少なくともいくつかがユーザ個人のライブラリの既存の一部であるボックスセット内に見つけられる「ボーナストラック」を含む場合、ボックスセットに含まれるものとして決定されてもよい。
【００２５】
・インポートされた娯楽情報が、音声トラックとデータトラックの両方を含むかどうか。ライブラリの１つの特性は、娯楽情報のいくつかの特定のメディアのキャリアがデータトラックを含み、他は含まないことである。
【００２６】
・インポートされた娯楽情報と共に含まれるナビゲーション情報が、他の公知の組みのインポートされた娯楽情報と一致しているかどうか。一例では、各ＣＤについて、そのＣＤ上で符号化される実際の音声データからのナビゲーション層を形成するデータを分離し識別することは、比較的に容易である。この例では、システムは、全ての識別されたＣＤから、データにハッシュ関数を適用し、ハッシュ後の値を記録し且つ識別されたＣＤに関連付ける。この例では、システムは、曖昧な又は知られていないＣＤについてのハッシュ値を、ＣＤの知られているライブラリ（ユーザのライブラリに必ずしも限定しない）からの記録されたハッシュ値と比較し、一致を探す。これは、非音声のデータのハッシュ関数の値が記録可能及び比較可能なメタデータの例であってもいいという効果を持つ。
【００２７】
この出願を読んだ後、当業者は、これらの特定の一致の技術が、これらのケースの組み合わせ、結合、交差、合併などを含む多種多様の可能性をもつ個々のケースであることを理解できる。当業者は、これらのケースを「うまく組み合わせること」、又は実施態様に利用できるデータを用いた他のケースを追加すること、ここに明確に記載されたものより非常に多くの数の可能性を作り出すことが、可能であることを理解できる。これらの代替案は新規の発明又は過度の実験を必要としない。それらは、本発明の範囲と精神の一部である。
【図面の簡単な説明】
【００２８】
【図１】メタデータを用いたデジタルメディアの認証を実行することが可能なシステムのブロック図
【図２】メタデータを用いたデジタルメディアの認証を実行する方法の工程フロー図
【発明を実施するための形態】
【００２９】
定義
・用語「ユーザ」等は、一般に、実施形態を使用する、個人、人のグループ、及び他のエンティティのことを言う。
・語句「娯楽情報」等は、一般に、歌、他の音声又は映像の信号などのユーザの娯楽についての符号化された情報のことを言い、より一般的には、ユーザに役に立つ任意の情報を言う。実施形態は、本発明の文脈において、娯楽を参照して記載されるけれども、符号化された情報が娯楽目的に関することや、符号化された情報が人間により知覚可能なデータの表現を含むというような特定の要件はない。一例では、情報は、データベースへの参入、システム制御、又は多種多様の他の目的に関するデータを含んでも良い。
・語句「個人のデジタルライブラリ」等は、ここで広く記載されるように、コレクションが、単一の機器、機器の集合体（collection）、又は機器間を移動することが可能な記憶素子上に保持されるかどうかにかかわらず、一般に、娯楽情報の任意のコレクションのことを言う。一例では、個人のデジタルライブラリは、携帯電話やｉＰｏｄなどの携帯端末に記録された１組みの歌を含んでもよい。
・語句「自然な参照情報（natural reference）」等は、ここで広く記載されているように、一般に、娯楽情報を記述している任意のメタデータのことを言う。いくつかの例では、自然な参照情報は、題名、作家、演奏者、制作者、ジャンル、符号化フォーマットなどを含んでも良い。
・語句「符号化フォーマット」等は、一般に、ここで広く記載されているように、娯楽情報を物理媒体から読み出し又は書き込みするために保持する任意の技術又は方法のことを言う。
・語句「メディアデータ」等は、ここで広く記載されているように、一般に、娯楽情報の符号化を含む、物理媒体上に見つけることが可能な任意のメタデータのことを言う。
・語句「共同（collective）ライブラリ」等は、一般に、製造業者のエンドユーザの消費者の利益のために、実施形態の製造業者により保持されるライブラリのことを言う。
【００３０】
システムの要素
図１は、メタデータを用いてデジタルメディアの認証を実行することが可能なシステムのブロック図を示す。システム１００は、図１に示す要素を備え、少なくとも、入力ポート１１０、ローカルデータベース１２０、ローカルコンピュータ装置１３０、通信リンク１４０、コミュニティの外部データベースサーバ、パブリックの外部データベースサーバ１６０、及びユーザインターフェース１７０を含む。
【００３１】
システム１００の動作は、符号化された娯楽情報を記憶のために保持する物理媒体１８０か、又は他の記憶装置か通信リンク１４０又は他の通信リンク（図示せず）をできる限り使用するような通信運送において符号化された娯楽情報を保持する仮想媒体１９０かのいずれかを含む。
【００３２】
入力ポート１１０は、物理媒体１８０の形式又は仮想媒体１９０の形式で符号化された娯楽情報に接続するために配置され、さらにローカルコンピュータ装置１３０に接続するために配置される。
【００３３】
ここでさらに説明したように、ローカルコンピュータ装置１３０は、物理媒体１８０（ＣＤ、ＤＶＤ、又は他の機器等）から又は仮想媒体１９０（ディスク画像、一連の１以上のメッセージ等）から、符号化された娯楽情報を受信し、システム１００内で保持された情報に応答して、符号化された娯楽情報への自然な参照情報を含むメタデータを決定することが可能である。
【００３４】
ローカルデータベース１２０は、ユーザ個人のライブラリ１２１（それ自身が、関連したメタデータ１２３と共に一組の娯楽情報のアイテム１２２を含む。）を含む。好ましい実施形態において、ユーザ個人のライブラリ１２１は、コンピュータ装置１３０に接続されて、それにより制御されて、記憶のために保持されるために配置される。
【００３５】
ローカルコンピュータ装置１３０は、ローカルプロセッサ１３１、ローカルプログラムとデータメモリ１３２、及びローカル・マス・ストレージ１３３を含む。ローカルプロセッサ１３１は、ローカルプログラム及びデータメモリ１３２に接続され、そこで保持されている命令の制御に従って動作する。また、ローカルプロセッサ１３１は、ローカルデータメモリ１３２に１以上の中間のデータ値を書き込んでも良い。ローカルデータメモリ１３２は、ローカルプロセッサ１３１により指示されたときに使用するために、それらの値を保持する。
【００３６】
通信リンク１４０は、ローカルデータベース１２０、ローカルコンピュータ装置１３０、コミュニティの外部データベースサーバ１５０、パブリックの外部データベースサーバ１６０、及び仮想媒体１９０のうちの少なくとも１以上に接続されるために配置される。通信リンク１４０は、これらの要素間で情報を運ぶことができる。好ましい実施形態において、通信リンク１４０は、有線又は無線のＬＡＮ、ＶＬＡＮ、ＶＰＮ、ＷＡＮ、企業網、インターネット、個人用又は公共用の交換網、その任意の組み合わせ又は結合、又はここに記載された機能を実行することが任意の他のシステムを含む。
【００３７】
コミュニティの外部データベースサーバ１５０は、通信リンク１４０又は他の通信リンク（図示せず）に接続するために配置される。コミュニティの外部データベースサーバ１５０は、コミュニティ・サーバ・プロセッサ１５１、コミュニティ・サーバ・プロセッサ・プログラム及びデータメモリ１５２、及びコミュニティ・サーバ・マス・ストレージ１５３を含む。コミュニティ・サーバ・プロセッサ１５１は、コミュニティ・サーバ・プログラム及びデータメモリ１５２に接続されて、そこで保持されている命令の制御に従って動作する。コミュニティ・サーバ・プロセッサ１５１は、１以上の中間のデータ値をコミュニティ・サーバ・データメモリ１５２に書き込んでもいい。コミュニティ・サーバ・データメモリ１５２は、コミュニティ・サーバ・プロセッサ１５１により指示されたときに使用するために、それらの値を保持する。
【００３８】
好ましい実施形態において、コミュニティの外部データベースサーバ１５０は、クライアント−サーバの双方向プロセスのサーバとして動作し、通信リンク１４０を使用して１以上のコンピュータ装置１３０からのリクエストを受け取り、その１以上のコンピュータ装置１３０へのレスポンスを生成する。ここで説明したように、コミュニティの外部データベースサーバ１５０は、１以上の実施形態の製造業者により生成されるシステムに含まれる１以上のコンピュータ装置１３０用のコミュニティ・ライブラリを保持する。
【００３９】
パブリックの外部データベースサーバ１６０は、通信リンク１４０又は他の通信リンク（図示せず）に接続されるために配置される。パブリックの外部データベースサーバ１６０は、パブリックのサーバ・プロセッサ１６１、パブリックのサーバ・プロセッサ・プログラム及びデータメモリ１６２、及びパブリックのサーバ・マス・ストレージ１６３を含む。パブリックのサーバ・プロセッサ１６１がパブリックのサーバ・プログラム及びデータメモリ１６２に接続されて、そこに保持されている命令の制御に従って動作する。パブリックのサーバ・プロセッサ１６１は、１以上の中間データ値をパブリックのサーバデータメモリ１６２に書き込んでも良い。パブリックのサーバデータメモリ１６２は、パブリックのサーバ・プロセッサ１６１により指示されたときに使用するために、それらの値を保持する。
【００４０】
好ましい実施形態において、パブリックの外部データベースサーバ１６０は、クライアント−サーバの双方向プロセスのサーバとして動作し、通信リンク１４０を使用して１以上のコンピュータ装置１３０からのリクエストを受信し、そのリクエストへのレスポンスを生成する。ここで説明したように、パブリックの外部データベースサーバ１６０は、１以上のコンピュータ装置１３０が１以上の実施形態の製造業者により生成されるシステムに含まれるかどうかに関わらず、その１以上のコンピュータ装置１３０による使用のための公共のライブラリを保持する。
【００４１】
ユーザインターフェース１７０は、１以上のユーザ（図示せず）に情報を提供し、１以上のユーザからのコマンド又は他の情報を受信するために配置される。
【００４２】
システム１００の動作は、符号化された娯楽情報を記憶のために保持する物理媒体１８０（システム１００の必要不可欠な要素ではない。）か、又は他の記憶装置か通信リンク１４０又は他の通信リンク（図示せず）を可能な限り使用するような通信運送において符号化された娯楽情報を保持する仮想媒体１９０（システム１００の必要不可欠な要素ではない。）かのいずれかを含む。
【００４３】
動作の方法
図２は、メタデータを使用してデジタルメディアの認証を実行する方法の工程フロー図を示す。
【００４４】
方法２００は、図２に示されるフローのポイントと方法のステップを含み、少なくとも、物理媒体１８０又は仮想媒体１９０の入力の準備（２１０）、物理媒体１８０又は仮想媒体１９０の入力の受け取り（２２０）、符号化された娯楽情報の読み出し（２３０）、パブリックの外部データベースサーバ１６０との情報のやり取り（２４０）、コミュニティの外部データベースサーバ１５０との情報のやり取り（２５０）、ローカル・マス・ストレージ１３３との情報のやり取り（２６０）、符号化された娯楽情報についての自然な参照情報の最良の一致の決定（２７０）、ユーザとの情報のやり取り（２８０）、物理媒体１８０又は仮想媒体１９０の入力の終了（２９０）を含む。
【００４５】
フローポイント２１０で、システム１００は、物理媒体１８０又は仮想媒体１９０のいずれかを用いて符号化された娯楽情報の入力の準備を行う。好ましい実施形態において、フローポイント２１０で、システム１００は、符号化された娯楽情報の１以上のアイテムの入力が開始するまで待機する。
【００４６】
フローポイント２２０で、システム１００は、物理媒体１８０又は仮想媒体１９０のいずれかを用いて符号化された娯楽情報の１以上のアイテムの入力の受け取りを開始する。好ましい実施形態において、システム１００は、ローカルコンピュータ装置１３０の制御に従って、符号化された娯楽情報の１以上のアイテムを受信する。
【００４７】
ステップ２３０で、システム１００は、ローカルコンピュータ装置１３０の制御に従って、符号化された娯楽情報の１以上のアイテムを読み出す。
【００４８】
ステップ２４０で、システム１００は、ローカルコンピュータ装置１３０の制御に従って、パブリックの外部データベースサーバ１６０からの符号化された娯楽情報の１以上のアイテムに関する自然な参照情報を含むメタデータを要求する。システム１００がその自然な参照情報を取得できれば、方法２００はフローポイント２１０に進む。そこで、システム１００は、符号化された娯楽情報のさらなるアイテムを受信できる状態になる。
【００４９】
ステップ２５０で、システム１００は、ローカルコンピュータ装置１３０の制御に従って、コミュニティの外部データベースサーバ１５０からの符号化された娯楽情報の１以上のアイテムに関する自然な参照情報を含むメタデータを要求する。システム１００が自然な参照情報を取得できれば、方法２００はフローポイント２１０に進む。そこで、システム１００は、符号化された娯楽情報のさらなるアイテムを受信できる状態になる。
【００５０】
ステップ２６０で、システム１００は、ローカルコンピュータ装置１３０の制御に従って、ローカル・マス・ストレージ１３３からユーザ個人のライブラリに関する情報を取得する。
【００５１】
ステップ２７０で、上述したように、システム１００は、ローカルコンピュータ装置１３０の制御に従って、ヒューリスティックス（heuristics）を数回実行し、符号化された娯楽情報の１以上のアイテムに関する自然な参照情報を含むメタデータの最良の一致の決定を試みる。システム１００が満足のいく一致を見つけることができれば、方法２００はフローポイント２１０に進む。そこで、システム１００は、符号化された娯楽情報のさらなるアイテムを受信できる状態になる。
【００５２】
ステップ２８０で、上述したように、システム１００は、ローカルコンピュータ装置１３０の制御に従って、ユーザインターフェース１７０を用いて、１以上のユーザと情報のやり取りをし、自然な参照情報を含むメタデータを（できる限り１つのアイテムに）絞り込み、符号化された娯楽情報の１以上のアイテムに関連付ける。
【００５３】
フローポイント２９０で、システム１００は、物理媒体１８０又は仮想媒体１９０のいずれかを用いて、符号化された娯楽情報の処理を完成する。方法は、フローポイント２１０に進む。
【図１】
2010518511.tif 000003
【図２】
2010518511.tif 000004
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
デジタルメディアを識別する方法であって、
前記デジタルメディアのユーザに関連するユーザ情報にアクセスするステップと、
前記ユーザ情報は前記ユーザに関連するデジタルライブラリについての情報を含み、
前記ユーザ情報を参照して、デジタルメディアの認証技法を実行するステップと、
を含む方法。
【請求項２】
前記デジタルメディアを前記デジタルライブラリにインポートするステップをさらに含む、請求項１に記載の方法。
【請求項３】
前記実行するステップは、前記ユーザに関連しないメタデータを参照して、前記デジタルメディアの認証技法を実行するステップをさらに含む、請求項１に記載の方法。
【請求項４】
前記ユーザ情報は、前記デジタルライブラリに含まれる歌に関するメタデータの統計的尺度をさらに含む、請求項１に記載の方法。
【請求項５】
前記メタデータは、アーチスト、ソングライタ、年代、ジャンルのうちの１以上を含む、請求項４に記載の方法。
【請求項６】
前記ユーザ情報は、複数のユーザに関連する複数のデジタルライブラリについての情報をさらに含む、請求項１に記載の方法。
【請求項７】
前記複数のデジタルライブラリは、単一のデジタルメディアシステムの提供者に関連する複数のデジタルメディアシステムに関連する、請求項６に記載の方法。
【請求項８】
前記実行するステップは、関連するデジタルメディアシステムについての制御設定を参照して、前記デジタルメディアの認証技法を実行するステップをさらに含む、請求項１に記載の方法。
【請求項９】
前記実行するステップは、前記ユーザ情報を参照して、前記デジタルメディアについての合っている可能性のある複数の識別子間の曖昧性を解決するステップをさらに含む、請求項１に記載の方法。
【請求項１０】
前記解決するステップは、前記デジタルライブラリ内に存在する複数のデジタルメディアを参照して、前記デジタルメディアについての合っている可能性のある複数の識別子間の曖昧性を解決するステップをさらに含む、請求項９に記載の方法。
【請求項１１】
前記複数のデジタルメディアは、共通のジャンルを持つデジタルメディアを含む、請求項１０に記載の方法。
【請求項１２】
前記複数のデジタルメディアは、特定のアーチストによるデジタルメディアを含む、請求項１０に記載の方法。
【請求項１３】
前記解決するステップは、複数のユーザに関連する複数のデジタルライブラリについての情報を参照して、前記デジタルメディアについての前記合っている可能性のある複数の識別子間の曖昧性を解決するステップをさらに含む、請求項９に記載の方法。
【請求項１４】
コンピュータシステム上で実行されるときにコンピュータシステムにデジタルメディアを識別する方法を実行させるプログラムコード手段を含むコンピュータプログラム製品であって、
前記デジタルメディアを識別する方法は、
前記デジタルメディアのユーザに関連するユーザ情報にアクセスするステップと、
前記ユーザ情報は、前記ユーザに関連するデジタルライブラリについての情報を含み、
前記ユーザ情報を参照して、デジタルメディアの認証技法を実行するステップと、
を含む、コンピュータプログラム製品。
【請求項１５】
デジタルメディアを識別する方法を実行する機器を含む装置であって、
前記デジタルメディアを識別する方法は、
前記デジタルメディアのユーザに関連するユーザ情報にアクセスするステップと、
前記ユーザ情報は、前記ユーザに関連するデジタルライブラリについての情報を含み、
前記ユーザ情報を参照して、デジタルメディアの認証技法を実行するステップと、
を含む、装置。
【国際調査報告】
2010518511.tif 000005